(57)【要約】【課題】照明に必要な蓄光が十分に行われかつ消費電力の少ない照明装置１を提供する。【解決手段】ＬＥＤ、蛍光灯、放電灯、タングステン灯等の光源からなる光源部２と、光源部２の光源から放射される入射光を遮蔽する不透明なプラスチック、木材、金属類等の材料から形成される遮蔽部３と、光源部２の光源から放射される入射光を蓄光として蓄積する蓄光塗料或いは蓄光紙からなる蓄光部４と、蓄光部４を保持する保持部５と、光源部２に電力を供給する電源部６と、から構成される。【選択図】  図１
2011222144.tif 000002
【特許請求の範囲】
【請求項１】
ＬＥＤ、蛍光灯、放電灯、タングステン灯等の光源から放射される入射光を蓄光し、前
記蓄光を放射して照明光とする照明装置において、
前記ＬＥＤ、蛍光灯、放電灯、タングステン灯等の光源からなる光源部と、
前記光源部の前記光源から放射される前記入射光を遮蔽する不透明なプラスチック、木
材、金属類等の材料から形成される遮蔽部と、
前記光源部の前記光源から放射される前記入射光を前記蓄光として蓄積する蓄光塗料或
いは蓄光紙からなる蓄光部と、
前記蓄光部を保持する保持部と、
前記光源部に電力を供給する電源部と、
から構成され、
前記電源部から前記光源部に電力が供給されると前記光源部の前記光源から前記入射光
が放射され前記蓄光部で前記蓄光として蓄積され、前記蓄光部に蓄積された前記蓄光を前
記蓄光部から放射して前記照明光とすることを特徴とする照明装置。
【請求項２】
前記入射光を断続的に繰り返し放射し前記蓄光として断続的に繰り返し蓄積するととも
に、前記蓄光を連続的に放射して前記照明光とすることを特徴とする請求項１に記載され
た前記照明装置。
【発明の詳細な説明】
【技術分野】
【０００１】
本発明は、ＬＥＤ、蛍光灯、放電灯、タングステン灯等の光源から放射される光を蓄光
として蓄積し、この蓄積された蓄光を放射し照明光とする照明装置に関するものである。
【背景技術】
【０００２】
従来、例えば、特許文献１に記載されているように、光源から放射される光を蓄光する
蓄光体（蓄光部）を照明器具の近傍に設置し、光源から放射される光を蓄光体に蓄光した
後、この蓄光体の蓄光を放射して照明光として使用していた。
以下、図面を参照しつつ、従来の照明装置について説明する。
【０００３】
図９は、従来の照明装置における構成を示す断面図である。
【０００４】
図９に示すように、従来の照明装置１００は、着脱可能となされた蓄光体１０１を、ソ
ケット１０２とソケット１０２に取り付けられる光源１０３とからなる照明器具の近傍に
取り付けることにより構成されている。光源１０３は、白熱灯や、発光管などである。
【０００５】
蓄光体１０１は、照明器具の近傍に装着されているときに、光源１０３から放射される
光によって蓄光する。蓄光体１０１は、透明或いは半透明材料からなる基材上に蓄光材料
を塗布することにより形成されており、照明器具の近傍に装着されたときに、光源１０３
を覆うようになっている。
【０００６】
この実施の形態において、蓄光体１０１は、円盤状の底板部及び円錐面状の側壁部とか
ら円錐台形状に構成されている。この蓄光体１０１の上端部は、底板部よりも大きな開口
端となっており、光源１０３が挿入されるようになっている。
【０００７】
この蓄光体１０１は、光源１０３の周囲を覆って配置されるので、光源１０３が放射す
る光により、直接、蓄光体１０１中の蓄光材料が励起されている。蓄光材料は、例えば、
非特許文献１に記載されている高耐候性蓄光塗料を透明或いは半透明材料からなる基材上
に半透明になるように薄く塗布して、光源１０３が放射する光の一部分が蓄光体１０１を
透過するよう設定する。
【０００８】
この照明装置１００において、蓄光体１０１が照明器具の近傍に装着されているときに
光源１０３が通常の使用状態となされて光を放射することにより、この光による周囲の照
明が行われるとともに、蓄光体１０１による蓄光が行われる。
【０００９】
このとき、光源１０３から放射された光は、一部が蓄光体１０１中の蓄光材料の励起に
消費されて蓄光として蓄積され、残部が蓄光体１０１を透過して、周囲を照明する。
そして、光源１０３が消灯されたときには、蓄光体１０１に蓄積された蓄光を放射する
ことにより、周囲の照明が行われる。
【先行技術文献】
【特許文献】
【００１０】
【特許文献１】特開２００８−４７３７６号公報
【非特許文献】
【００１１】
【非特許文献１】高耐候性蓄光塗料「ＨＯＴＡＲＵ」の開発  増田豊、小林正雄共著  塗料の研究（関西ペイント（株）広報誌）Ｎｏ．１３８  Ｊｕｌｙ  ２００２年
【発明の概要】
【発明が解決しようとする課題】
【００１２】
前述のような蓄光体を用いた従来の照明装置においては、照明器具の光源から放射され
た光を蓄光体に蓄光するとともに、照明器具の光源から放射された光の一部は蓄光体を透
過させて照明光として用いることから蓄光体は透明もしくは半透明にしなければならなか
った。
このため、蓄光体を透明もしくは半透明とするために蓄光体に塗布されている蓄光塗料
を薄く塗布しなければならないので十分な蓄光量が得られず、蓄光体から放射される蓄光
を照明光として用いるためには光量が不足すると言う問題点があった。
また、照明器具の光源から放射する光は蓄光体で吸収されて減少するため照明光として
十分な光量を得るためには光源に供給する電力を増加させなければならず消費電力が多く
なるという問題点があった。
【００１３】
そこで、本発明は、前述の実情に鑑みて提案されるものであって、照明に必要な蓄光が
十分に行われ、かつ、消費電力の少ない照明装置を提供することを目的とする。
【課題を解決するための手段】
【００１４】
本願発明における第1の発明は、ＬＥＤ、蛍光灯、放電灯、タングステン灯等の光源か
ら放射される入射光を蓄光し、この蓄光を放射して照明光とする照明装置１において、Ｌ
ＥＤ、蛍光灯、放電灯、タングステン灯等の光源からなる光源部２と、光源部２の光源か
ら放射される入射光を遮蔽する不透明なプラスチック、木材、金属類等の材料から形成さ
れる遮蔽部３と、光源部２の光源から放射される入射光を蓄光として蓄積する蓄光塗料或
いは蓄光紙からなる蓄光部４と、蓄光部４を保持する保持部５と、光源部２に電力を供給
する電源部６と、から構成され、電源部６から光源部２に電力が供給されると光源部２の
光源から入射光が放射され蓄光部４で蓄光として蓄積され、蓄光部４に蓄積された蓄光を
蓄光部４から放射して照明光とすることを特徴とする照明装置１を提供するものである。
本願発明における第２の発明は、入射光を断続的に繰り返し放射し蓄光として断続的に
繰り返し蓄積するとともに、蓄光を連続的に放射して照明光とすることを特徴とする請求
項１に記載された照明装置１を提供するものである。
【発明の効果】
【００１５】
本発明によれば、ＬＥＤ、蛍光灯、放電灯、タングステン灯等の光源から放射される入
射光を蓄光し、この蓄光を放射して照明光とする照明装置１において、ＬＥＤ、蛍光灯、
放電灯、タングステン灯等の光源からなる光源部２と、光源部２の光源から放射される入
射光を遮蔽する不透明なプラスチック、木材、金属類等の材料から形成される遮蔽部３と
、光源部２の光源から放射される入射光を蓄光として蓄積する蓄光塗料或いは蓄光紙から
なる蓄光部４と、蓄光部４を保持する保持部５と、光源部２に電力を供給する電源部６と
、から構成され、電源部６から光源部２に電力が供給されると光源部２の光源から入射光
が放射され蓄光部４で蓄光として蓄積され、蓄光部４に蓄積された蓄光を蓄光部４から放
射して照明光とすることにより、照明に必要な蓄光が十分に行われ、かつ、消費電力の少
ない照明装置１を提供することが出来る。
【図面の簡単な説明】
【００１６】
【図１】本発明の実施例における照明装置１を説明するための図であり、（Ａ）は上面図を示し、（Ｂ）は正面図を示す。
【図２】本発明の実施例における照明装置１の動作を説明するための断面図であり、図１（Ａ）のＡ−Ａ断面を示す図である。
【図３】本発明の実施例における照明装置１の動作を説明するための断面図であり、図１（Ｂ）のＢ−Ｂ断面を示す図である。
【図４】本発明の実施例における照明装置１の動作を説明するための詳細なブロック図を示す図である。
【図５】本発明の実施例における照明装置1の動作を説明するためのグラフであり、入射光を照射したときの蓄光量の増加と、蓄光の放射による蓄光量の減少を示す図である。
【図６】入射光を一定時間繰り返し照射したときの蓄光量の放射状態を示すグラフであり、蓄光量の放射が多い場合を示す図である。
【図７】入射光を一定時間繰り返し照射したときの蓄光量の放射状態を示すグラフであり、蓄光量の放射が中くらいの場合を示す図である。
【図８】入射光を一定時間繰り返し照射したときの蓄光量の放射状態を示すグラフであり、蓄光量の放射が低い場合を示す図である。
【図９】従来の照明装置１００を示す断面図である。
【発明を実施するための形態】
【００１７】
本発明を実施するための最良の形態について、図１〜図８を用いて説明するが、本発明
はかかる実施形態に限定されるものではない。
【実施例】
【００１８】
次に実施例を説明すると、
図１（Ａ）、図１（Ｂ）、図２、図３に示すように、本発明の照明装置１は、ＬＥＤ、
蛍光灯、放電灯、タングステン灯等の光源からなる光源部２と、光源部２の光源から放射
される入射光が直接照明光とはならない様に遮蔽する不透明なプラスチック、木材、金属
類等の材料から形成される遮蔽部３と、光源部２の光源から放射される入射光を蓄光とし
て蓄積する蓄光塗料或いは蓄光紙からなる蓄光部４と、蓄光部４を保持する保持部５と、
光源部２に電力を供給する電源部６と、上部蓋７と、から構成されるものである。
【００１９】
光源部２は、ＬＥＤ、蛍光灯、放電灯、タングステン灯等の光源からなり、電源部６か
ら遮蔽部３を経由して光源部２に電力を供給されると光源から入射光を蓄光部４に向けて
放射する。
遮蔽部３は、不透明なプラスチック、木材、金属類等の材料から形成され、光源部２の
光源から放射される入射光が直接照明光とはならない様に照明方向から遮蔽するとともに
光源部２を固定し、さらに電源部６から供給される電力を光源部２へ伝達する配線が施さ
れている。
蓄光部４は、蓄光塗料或いは蓄光紙からなり、光源部２の光源から放射される入射光を
蓄光として蓄積し、蓄積した蓄光を照明光として照明方向へ放射する。
保持部５は、透明のプラスチック或いはガラス等の両端が解放された円柱形状の基材か
らなり、光源部２の光源から放射される入射光を蓄光として蓄積するように基材上に蓄光
塗料を図３に示すように略半円柱状に塗布或いは蓄光紙を貼布することにより蓄光部４を
形成し保持する。基材と蓄光部４の間に白色塗料やアルミ反射材を塗布すればより蓄光の
性能が向上する。
【００２０】
電源部６は、図４に示すように、金属、木材、プラスチック、ガラス等の材料からなる
中空の円柱の筐体の中に、乾電池、リチウム蓄電池、水素蓄電池等の携帯型の電池からな
る電源６１と、端子ａを電源６１に接続し端子ｂとの接続を選択するＳＷ１と、端子ｅ、
ｆ、ｇのいずれかと接地されている端子ｄとを接続選択するＳＷ２と、ＳＷ１の端子ｂと
ＳＷ２の端子ｅ、ｆ、ｇに接続され所定のパルス幅の選択信号を出力するプリセット回路
６２と、ＳＷ１の端子ｂに接続されプリセット回路６２から出力された選択信号を入力し
所定の幅のパルスを発生し出力するパルス発生回路６３と、ＳＷ１の端子ｂに接続されパ
ルス発生回路６３から出力されたパルスを入力しこのパルスに基づいた光源部２へ供給す
る電力を出力する光源駆動回路６４と、から構成される。なお、電源６１は電池に限定さ
れるものではなく外部から供給してもよい。また所定のパルス幅を３系統に設定するため
に端子をｅ、ｆ、ｇとしたがこれに限定されるものではなく利用状況により増減させても
よい。
電源部６の筐体の上部は外周を保持部５と接着剤或いは螺子類等で固定されている。尚
ＳＷ１、ＳＷ２は図示されていないが、筐体の外側から操作可能に設置されている。また
筐体の上部と遮蔽部３の下部は接着剤、或いは螺子類で固定され、さらに光源駆動回路６
４の出力を遮蔽部３の配線へ接続する接続路が設置されている。
【００２１】
上部蓋７は、プラスチック、金属、ガラス、木材等の材料からなる円形の蓋であり、保
持部５の上部の外周に接着剤或いは螺子類等で固定されている。また、遮蔽部３の上部を
固定するため遮蔽部３の形状に合わせた溝が設けられている。
【００２２】
次に図４を用いて動作を説明する。
まずＳＷ１をＯＮにし端子ａと端子ｂを接続させる。そうすると電源６１の電池による
電力がプリセット回路６２、パルス発生回路６３、光源駆動回路６４に供給され、各回路
は動作状態となる。
そしてプリセット回路６２では例えばＳＷ２の端子ｅと端子ｄとを接続させているとそ
の時のパルス幅定数を所定値ａに設定してパルス発生回路６３へ出力する。（端子ｆと端
子ｄでは所定値ｂ、端子ｇと端子ｄでは所定値ｃとする。各所定値は使用する機器に応じ
て、パルスのＯＮ、ＯＦＦの期間を設定するためのものである。）
パルス発生回路６３では、プリセット回路６２から出力された所定値ａに沿ったＯＮ、
ＯＦＦのパルスを繰り返し発生させて光源駆動回路６４へ出力する。
光源駆動回路６４ではパルス発生回路６３から出力されたパルスがＯＮの間は電源６１
から送られてくる電力をＯＮにして遮蔽部３の配線を経由して光源部２に供給し光源部２
の光源から入射光を放射させる。
そして光源部２の光源から放射された入射光は図３及び図４の実線で示す蓄光部４の方
向に放射され、かつ、遮蔽部３により照明方向からは遮蔽されて、蓄光部４に蓄光として
蓄積される。蓄積された蓄光は蓄光部４から順次図３及び図４に示す点線の照明方向に放
射され照明が行われる。
【００２３】
このように、光源部２の光源から放射された入射光は、直接照明光とはならず、蓄光部
４からの拡散された柔らかい蓄光の放射となって照明に用いられるため、光源部２の方向
を直視しても使用者の目には眩しく感じられない。
【００２４】
次に照明量について説明する。
図５に示すグラフは、図３に示す蓄光の放射による照明方向の照明量Ｌ０を蓄光部４の
蓄光量とみなして表したもので、縦軸に蓄光量、横軸に時間の経過を示したものである。
すなわち、光源部２の光源から入射光が蓄光の飽和量に達するまで照射されながら蓄積
された蓄光が放射される期間の時間をｔｏｎ０とし、蓄光が飽和量に達すると入射光は停
止されて蓄光のみが放射され時間がｔｏｆｆ０経過したときの蓄光量の減少状態を示した
ものである。
（蓄光量は照度計を用いて照明量Ｌ０を測定しＬＵＸ単位で表示する。光源部２から放
射された入射光が蓄光部４で反射されて混入することがあるので、入射光の波長と蓄光の
放射光との波長は異なるから、入射光の波長の光は遮断し蓄光の放射光は透過させるカッ
トフィルターを照度計の前に入れて蓄光の波長の放射光のみを測定する。）
【００２５】
入射光により蓄光が蓄積された瞬間から蓄光の放射は行われているので、まず、入射光
を蓄光部４に照射しながら照度計で蓄光量を測定し、それ以上は増加しない一定値になる
飽和量に達する迄の蓄光量の増加と時間のグラフを記録する。これは、図５に示すグラフ
Ｓ０に相当し、入射光の放射開始からｔｏｎ０経過した時間で飽和し、この時の飽和量を
Ｐｍａｘとする。
一方入射光が停止されると蓄光の蓄積は行われず放射のみとなる。この時の蓄光量の放
射の減少と時間のグラフをＨ０として示す。入射光が停止されると蓄光量は飽和量から急
峻に減少するが時間が経過するのに従って緩やかな減少となる。
【００２６】
入射光の放射が蓄光量の飽和に達しないで停止されると、その時の蓄光量から減少が始
まるから、例えば図５のグラフＳ０のＰ１の位置で入射光が停止されると、飽和時からの
減少グラフＨ０のｘ１の位置からの蓄光量の減少と同等になり、Ｐ１の位置からグラフＨ
１で蓄光量は時間とともに減少する。以下同様に、Ｐ２の位置からはグラフＨ１のｘ２の
位置からグラフＨ２で蓄光量は時間とともに減少する。
【００２７】
次に、実際に照明量を設定する場合について、説明する。
まず、可視出来る光量が十分に得られるような照明量を蓄光の飽和付近で多くなるよう
設定する場合は、ＳＷ２において所定値ａを選択したのち、図６（Ａ）に示すように、グ
ラフＳ０のＰ１からＰｍａｘの期間に等しい時間ｔｏｎ１で入射光をＯＮにして放射させ
る。次にＰｍａｘ１からグラフＨ０のｘ１迄の時間ｔｏｆｆ１の期間入射光をＯＦＦにし
て蓄光のみを放射する。蓄光量がｘ１になった瞬間入射光をＯＮにする。以下同様にすれ
ば照明量の多い状態を維持できる。入射光の発光のＯＮ、ＯＦＦを図６（Ｂ）に示す。
【００２８】
このように、照明量を蓄光の飽和付近で多くなるように設定すれば、照明量は十分に得
られる。ｔｏｎ１／ｔｏｆｆ１の割合で消費電力を低減できるが、この場合、Ｐｍａｘか
らの経過時間に対する蓄光量の低減が急峻なため、ｔｏｎ１はｔｏｆｆ１より大きくなり
がちで消費電力の低減は入射光がすべてＯＮ時に比較し略二分の一以下である。
この設定では、消費電力の低減はわずかであるが、光源が眩しくなく照明量が多いので
人数の多い食事時のような場合に用いることが出来る。
【００２９】
照明量を可視光が不足なく得られる中くらいに設定する場合は、ＳＷ２において所定値
ｂを選択したのち、図７（Ａ）に示すように、グラフＳ０のＰ２からＰ１の期間に等しい
時間ｔｏｎ２で入射光をＯＮにして放射させる。次にＰ１からグラフＨ１のｘ２迄の時間
ｔｏｆｆ２の期間入射光をＯＦＦにして蓄光のみを放射する。蓄光量がｘ２になった瞬間
入射光をＯＮにする。以下同様にすれば照明量の中くらいの状態を維持できる。入射光の
発光のＯＮ、ＯＦＦを図７（Ｂ）に示す。
【００３０】
このように、照明量を中くらいに設定すれば、照明時間は十分に得られる。ｔｏｎ２／
ｔｏｆｆ２の割合で消費電力を低減できるが、この場合、Ｐ１からの経過時間に対する蓄
光量の低減がＰｍａｘよりは急峻ではないため、ｔｏｎ２はｔｏｆｆ２より小さくなり消
費電力は入射光がすべてＯＮ時に比較し略六分の一未満にすることが可能である。
この設定では、落ち着いた照明が長時間得られるので、少人数での団欒時のような場合
に用いることが出来る。
【００３１】
照明量を可視光の限度内で電力の消費を出来るだけ少なく設定する場合は、蓄光量を略
可視出来る光量限度のｘ３に指定し、ＳＷ２において所定値ｃを選択し、図８（Ａ）に示
すように、グラフＳ０のＰ３からＰ２の期間に等しい時間ｔｏｎ３で入射光をＯＮにして
放射させる。次にＰ２からグラフＨ２のｘ３迄の時間ｔｏｆｆ３の期間入射光をＯＦＦに
して蓄光のみを放射する。蓄光量がｘ３になった瞬間入射光をＯＮにする。以下同様にす
れば可視出来る光量の限度付近以上の照明量を維持できる。入射光の発光のＯＮ、ＯＦＦ
を図８（Ｂ）に示す。
【００３２】
このように、照明量を可視出来る光量の限度付近以上に設定すれば、照明時間は十分に
得られる。すなわちｔｏｎ３／ｔｏｆｆ３の割合で消費電力を低減できるが、この場合、
Ｐ２からの蓄光量の経過時間に対する低減が緩やかになるため、ｔｏｎ３はｔｏｆｆ３よ
りはるかに小さくなり消費電力は入射光がすべてＯＮ時に比較し略百分の一未満にするこ
とが可能である。この設定は、消費電力の消耗が極めて少ないので、夜間照明等の長時間
使用に十分用いることが出来る。
尚、可視出来る光量の限度は、周知のごとく暗くなるほど少なくなるので、夜が更ける
ほど更に照明量を減少させることが出来る。
【００３３】
例えば、株式会社ハイマウントで販売している商品名１７６ルーメンスキャンピングラ
ンタンは、連続点灯ハイ（Ｈｉｇｈ）の場合約６０時間、連続点灯ロウ（Ｌｏｗ）の場合
約２４０時間と性能表示されている。このランタンの点灯制御を本発明に順じて実施すれ
ば、照明量を蓄光の飽和付近で多くなるように設定：連続点灯ハイ（Ｈｉｇｈ）として約
１２０時間、照明量を可視光が不足なく得られる中くらいに設定：連続点灯ロウ（Ｌｏ
ｗ）として約１４４０時間、照明量を可視光の限度内で電力の消費を出来るだけ少なく設
定：連続点灯は６０００時間以上の長時間となる。
【００３４】
以上述べてきたように、光源から断続的に繰り返し放射される入射光を断続的に繰り返
し蓄光として蓄積したのち、入射光の放射時も含めて連続的な蓄光の放射として継続すれ
ば、照明条件に応じた適正な照明を行うことが出来、かつ、蓄光を照明光に用いて消費電
力の少ない照明装置１を提供することが出来る。
【産業上の利用可能性】
【００３５】
本発明は、光源部２から放射された入射光を蓄光部４に集光して蓄光として蓄積した後
に蓄積された蓄光を照明光とするもので、屋外における外灯やランタンのような携帯型照
明装置にも適用すれば電力の供給されない山間部、未開拓地、等にも容易に設置でき、更
に屋内の非常灯、あるいは、演奏会場の演奏時に照明を消した時のガイド灯としても十分
利用できる。
特に、蓄光を効率よく行うことが出来るので、携帯用電池の長期間の有効使用が可能と
なり、省エネルギーに効果があるのは自明である。
【符号の説明】
【００３６】
１      照明装置
２      光源部
３      遮蔽部
４      蓄光部
５      保持部
６      電源部
７      上部蓋
【図９】
2011222144.tif 000003
【図１】
2011222144.tif 000004
【図２】
2011222144.tif 000005
【図３】
2011222144.tif 000006
【図４】
2011222144.tif 000007
【図５】
2011222144.tif 000008
【図６】
2011222144.tif 000009
【図７】
2011222144.tif 000010
【図８】
2011222144.tif 000011